(57)【要約】【課題】アウト口の入口で遊技球が詰まり難く、詰まった遊技球によって入賞口に遊技球が入り易くなってしまうことを防止するパチンコ遊技機を提供する。【解決手段】遊技球が入賞可能なその他入賞口４３・４４・４５を複数備えるその他入賞口ユニット４１を遊技領域７に配置したパチンコ遊技機において、その他入賞口ユニット４１には、遊技領域７を転動する遊技球を遊技領域７外に排出するアウト口５１が第一のその他入賞口４３よりも下方の位置に設けられ、第一のその他入賞口４３の左右両側にアウト口５１へ遊技球を案内するアウト通路６１・６２を設けた。【選択図】図３
2015116300.tif 000002
【特許請求の範囲】
【請求項１】
遊技球が入賞可能な入賞口を複数備える入賞口ユニットを遊技領域に配置したパチンコ遊技機において、
前記入賞口ユニットには、遊技領域を転動する遊技球を遊技領域外に排出するアウト口が一の入賞口よりも下方の位置に設けられ、前記一の入賞口の左右両側に前記アウト口へ遊技球を案内するアウト通路を設けたことを特徴とするパチンコ遊技機。
【発明の詳細な説明】
【技術分野】
【０００１】
本発明は、遊技領域に配置され、遊技球が入球すると賞球払出装置によって所定数の遊技球（賞球）が払い出される入賞口を備えるパチンコ遊技機の技術に関する。
【背景技術】
【０００２】
従来、遊技球が入球すると賞球払出装置によって所定数の遊技球（賞球）が払い出される入賞口を備えるパチンコ遊技機の技術は公知となっている（例えば、特許文献１参照）。
入賞口は、遊技領域の両側であってガイドレールの内側に近接させて設けられており、複数の入賞口と複数のアウト口が交互に設けられている。言い換えれば、一の入賞口の左右両側にアウト口が設けられている。また、左側のアウト口は、入賞口とほぼ同じ高さに隣り合って並ぶように配置されている。
【先行技術文献】
【特許文献】
【０００３】
【特許文献１】特開２００６−３１４４４４号公報
【発明の概要】
【発明が解決しようとする課題】
【０００４】
しかし、アウト口の入口で遊技球が詰まってしまった場合には、アウト口と入賞口がほぼ同じ高さに隣り合って並ぶように配置されているため、詰まった遊技球によって遊技領域を転動する他の遊技球が入賞口側に案内されてしまい、入賞口に遊技球が入り易くなってしまうおそれがあった。
【０００５】
そこで、本発明はかかる課題に鑑み、アウト口の入口で遊技球が詰まった場合であっても、詰まった遊技球によって入賞口に遊技球が入り易くなってしまうことを防止するパチンコ遊技機を提供するものである。
【課題を解決するための手段】
【０００６】
本発明の解決しようとする課題は以上の如くであり、次にこの課題を解決するための手段を説明する。
【０００７】
即ち、請求項１においては、遊技球が入賞可能な入賞口を複数備える入賞口ユニットを遊技領域に配置したパチンコ遊技機において、前記入賞口ユニットには、遊技領域を転動する遊技球を遊技領域外に排出するアウト口が一の入賞口よりも下方の位置に設けられ、前記一の入賞口の左右両側に前記アウト口へ遊技球を案内するアウト通路を設けたものである。
【発明の効果】
【０００８】
本発明の効果として、以下に示すような効果を奏する。
【０００９】
本発明によれば、アウト口の入口で遊技球が詰まった場合であっても、詰まった遊技球によって入賞口に遊技球が入り易くなってしまうことを防止することができる。
【図面の簡単な説明】
【００１０】
【図１】本発明の一実施形態に係るパチンコ遊技機の全体的な構成を示した正面図。
【図２】同じく、窓枠が開放された状態の構成を示した斜視図。
【図３】同じく、遊技盤の構成を示した正面図。
【図４】同じく、パチンコ遊技機の電気的な構成を示したブロック図。
【図５】同じく、その他入賞口ユニットの構成を示した斜視図。
【図６】同じく、その他入賞口ユニットの構成を示した正面図。
【図７】同じく、その他入賞口及び立ち壁部材の構成を示した背面図。
【図８】同じく、ベース部材の構成を示した背面図。
【図９】同じく、アウト通路を通過する遊技球の転動する様子を示した図。
【発明を実施するための形態】
【００１１】
次に、発明の実施の形態を説明する。
【００１２】
まず、本発明に係るパチンコ遊技機の実施形態の全体的な構成について、図１から図３を用いて説明する。
なお、以下の説明では、パチンコ遊技機を遊技者側から見て、手前側をパチンコ遊技機の前側とし、奥側をパチンコ遊技機の後側として、前後方向を規定する。また、パチンコ遊技機を遊技者側から見て、左手側をパチンコ遊技機の左側とし、右手側をパチンコ遊技機の右側として、左右方向を規定する。
【００１３】
パチンコ遊技機は、図１及び図２に示すように、主として、外枠２と、中枠３と、窓枠４と、により構成される枠体に、各種の遊技部品が取り付けられて形成される。
【００１４】
外枠２は、パチンコ遊技機の外郭を成し、前後面が開口された略四角筒状に形成される枠体である。外枠２は、パチンコホール等の遊技場に設けられた台島に設置される。外枠２には、中枠３が設けられる。
【００１５】
中枠３は、前後面が開口された略四角筒状に形成される枠体である。中枠３は、外枠２の前側の開口部にヒンジ等の軸支部材を介して回動可能に支持される。中枠３には、遊技盤５Ａと、窓枠４と、下皿ユニット６と、が設けられる。
【００１６】
遊技盤５Ａは、遊技球が転動する領域である遊技領域７が形成される部材である。遊技盤５Ａは、中枠３に着脱可能に取り付けられる。
【００１７】
窓枠４は、略平板状に形成される枠体である。窓枠４は、遊技板５の前方に配置される。窓枠４は、中枠３の前側の開口部にヒンジ等の軸支部材を介して回動可能に支持される。窓枠４の略中央には、略円形状の窓枠開口部８が開口される。窓枠開口部８は、透明板８ａにより被覆される。これによって、遊技者は、前方から透明板８ａを介して窓枠４の後方に配置された遊技板５（より詳細には、遊技領域７）を視認することができる。窓枠開口部８の下方には、発射前の遊技球が貯溜される上皿９が配設される。窓枠開口部８の左右上方には、スピーカ１０がそれぞれ配設される。
【００１８】
下皿ユニット６は、中枠３の下側であって窓枠４の下方に取り付けられる。下皿ユニット６の略中央には、上皿９から溢れた遊技球が貯溜される下皿６ａが配設される。下皿ユニット６の右側部であって下皿６ａの右方には、上皿９に貯溜された遊技球を遊技板５の遊技領域７へ向けて発射可能に構成される発射ハンドル１５が配設される。
【００１９】
次に、遊技盤５Ａの構成について、図３を用いてさらに詳細に説明する。
【００２０】
遊技盤５Ａは、図３に示すように、主として遊技板５と、ガイドレール１１と、図柄表示装置１２と、始動ゲート１７と、可変入賞装置２１と、始動口２３と、大入賞装置２４と、その他入賞口４３・４４・４５等を備える。
【００２１】
遊技板５は、略平板状に形成される部材である。遊技板５には、その中央部において遊技板５を前後方向に貫通する図柄表示開口部１３が形成される。また、遊技板５の前側面には、ガイドレール１１が正面視で略円形状に配置され、前方へ向けて立設される。
【００２２】
ガイドレール１１は、略円弧状に形成された帯状の部材である。ガイドレール１１は、遊技板５の前側面に、当該前側面に対して立ち上がり状に取り付けられる。ガイドレール１１は、遊技板５の前側面に正面視で略円形状を形成するように配置される。そして、遊技板５において、ガイドレール１１により略円形状に形成された内側の領域が、遊技球が転動する領域である遊技領域７として構成される。
【００２３】
図柄表示装置１２は、液晶画面２０を設けて、当該液晶画面２０に図柄や数字等を変動表示可能に構成される装置である。図柄表示装置１２は、液晶画面２０を前方へ向けた状態で、遊技板５の後側面に取り付けられる。
【００２４】
図柄表示開口部１３は、遊技者が前方から図柄表示装置１２の液晶画面２０を視認するための開口部である。図柄表示開口部１３は、正面視で遊技領域７の概ね中央で、遊技板５を前後方向に貫通して形成される。図柄表示開口部１３には、図柄表示装置１２の液晶画面２０が配置される。これによって、遊技者は、前方から図柄表示開口部１３を通じて遊技板５の後側面に取り付けられた図柄表示装置１２の液晶画面２０を視認することができる。
【００２５】
始動ゲート１７は、遊技領域７内の左部に配置される。始動ゲート１７は、上下方向に貫通した平面視略コの字状に形成され、その内側を遊技球が通過可能に構成される。始動ゲート１７の内側には、近接スイッチからなる始動ゲートセンサ３１（図４参照）が配設される。始動ゲートセンサ３１は、遊技球が始動ゲート１７を通過すると当該通過を検知して、始動ゲート通過信号を出力する。始動ゲート１７を遊技球が通過した場合には、普通図柄遊技が行われ、普通図柄遊技の当り判定の結果が当りであると、可変入賞装置２１が作動して普通電動役物遊技が行われる。可変入賞装置２１が作動して開状態になると、始動口２３に遊技球が入賞可能となる。
【００２６】
可変入賞装置２１（普通電動役物）は、遊技板５の中央下方に配置される。可変入賞装置２１には、始動口２３が設けられる。始動口２３は、上面が開口されたポケット状に形成され、その内部に遊技球が入球（入賞）可能に構成される。始動口２３の左右上方には、一対の可動片２２が配設される。一対の可動片２２は、相互に対向して配置される。一対の可動片２２には、可変入賞装置２１に設けられた可動片用ソレノイド３４（図４参照）の出力軸が連動連結される。そして、一対の可動片２２は、可動片用ソレノイド３４の出力軸の作動によって、下端を支点として相互に近接又は離間する方向に回動する。そして、一対の可動片２２が下端を支点として相互に近接する方向に回動した場合、遊技領域７内を転動する遊技球は当該一対の可動片２２に干渉されて始動口２３に入賞し難くなる（閉状態）。一方、一対の可動片２２が下端を支点として相互に離間する方向に回動した場合、遊技領域７内を転動する遊技球は当該一対の可動片２２に干渉されず始動口２３に入賞し易くなる（開状態）。
【００２７】
このように、可変入賞装置２１は、その作動により遊技球が入賞可能な開状態及び入賞不能な閉状態を任意に切り替え可能に構成される。また、始動口２３の内部には、近接スイッチからなる始動口センサ３５（図４参照）が配設される。始動口センサ３５は、遊技球が始動口２３（可変入賞装置２１）に入賞すると当該入賞を検知して、始動口入賞信号を出力する。遊技球が始動口２３に入賞すると、特別図柄遊技の保留回数が増加されるように構成される。
【００２８】
大入賞装置２４（特別電動役物）は、遊技領域７内の下部であって、可変入賞装置２１の下方に配置される。大入賞装置２４には、大入賞口２６が設けられる。大入賞口２６は、正面視で左右方向に細長い略矩形状であって、遊技領域７が前後方向に貫通して形成される。大入賞口２６は、大入賞口扉２５によって開閉される。大入賞口扉２５は、下端を支点として遊技領域７に対して前後回りに回動可能に支持される。大入賞口扉２５には、大入賞装置２４に設けられた大入賞口扉用ソレノイド３６（図４参照）の出力軸が連動連結される。そして、大入賞口扉２５は、大入賞口扉用ソレノイド３６の出力軸の作動によって、下端を支点として前回りに回動し、遊技領域７から前方へ向けて突出した（板面を上下方向へ向けた）姿勢となる。そして、遊技領域７内を転動する遊技球は、大入賞口扉２５の上面側に上方から衝突し、当該大入賞口扉２５によって大入賞口２６に入球（入賞）するように案内される。つまり、大入賞口扉２５が下端を支点として前回りに回動した場合、遊技領域７内を転動する遊技球が大入賞口２６に入賞することができる（開状態）。一方、大入賞口扉２５が大入賞口２６を閉じている場合、遊技領域７内を転動する遊技球は大入賞口２６に入賞することができない（閉状態）。
【００２９】
このように、大入賞装置２４は、その作動により遊技球が入賞可能な開状態及び入賞不能な閉状態を任意に切り替え可能に構成される。また、大入賞口２６の内部には、近接スイッチからなる大入賞口センサ３７（図４参照）が配設される。大入賞口センサ３７は、遊技球が大入賞口２６（大入賞装置２４）に入賞すると当該入賞を検知して、大入賞口入賞信号を出力する。遊技球が大入賞口２６（大入賞装置２４）に入賞すると図示せぬ賞球払出装置によって所定数の遊技球（賞球）が払い出されるように構成される。
【００３０】
その他入賞口４３・４４・４５は、一面が開口されたポケット状に形成され、遊技球が入球（入賞）可能に形成される部材である。その他入賞口４３・４４・４５は、遊技領域７の左下部であって適宜な位置に３個配置される。その他入賞口４３・４４・４５の内部には、近接スイッチからなるその他入賞口センサ３８（図４参照）が設けられ、遊技球が入球すると図示せぬ賞球払出装置によって所定数の遊技球（賞球）が払い出されるように構成される。
【００３１】
アウト口１６は、遊技領域７を転動する遊技球が、その他入賞口１４、始動口２３、大入賞口２６等の各入賞口に入球（入賞）しなかった場合に、最終的に流入する開口部である。アウト口１６は、遊技領域７の最下部に、遊技板５を前後方向に貫通して形成される。なお、アウト口１６に流入した遊技球は、パチンコ遊技機が設置されたパチンコホール等の遊技場側に回収される。
【００３２】
次に、パチンコ遊技機の電気的な構成について、図４を用いて説明する。
【００３３】
図４のメイン制御回路８０は特別図柄遊技及び大当り遊技のそれぞれの遊技内容を制御するものであり、ＣＰＵ８１とＲＯＭ８２とＲＡＭ８３を有している。このメイン制御回路８０のＲＯＭ８２には制御プログラム及び制御データが予め記録されており、ＣＰＵ８１はＲＡＭ８３をワークエリアとしてＲＯＭ８２の制御プログラム及びＲＯＭ８２の制御データに基づいて処理動作を行う。入力回路８４は始動ゲートセンサ３１からの始動ゲート入賞信号、始動口センサ３５からの始動口入賞信号、大入賞口センサ３７からの大入賞口入賞信号、及びその他入賞口センサ３８からのその他入賞口入賞信号のそれぞれをメイン制御回路８０に出力するものであり、メイン制御回路８０は入力回路８４を通して始動口入賞信号を検出した場合に制御コマンド及び賞球コマンドを設定し、大入賞口入賞信号を検出した場合に賞球コマンドを設定し、その他入賞口入賞信号を検出した場合には賞球コマンドを設定する。ソレノイド回路８５は可動片用ソレノイド３４及び大入賞口扉用ソレノイド３６を通断電するものであり、メイン制御回路８０はソレノイド回路８５を電気的に制御することで可動片２２及び大入賞口扉２５を開閉操作する。
【００３４】
図４の払出制御回路９０は賞品球の払出動作を制御するものであり、ＣＰＵとＲＯＭとＲＡＭを有している。この払出制御回路９０のＲＯＭには制御プログラム及び制御データが予め記録されており、ＣＰＵはＲＡＭをワークエリアとしてＲＯＭの制御プログラム及びＲＯＭの制御データに基づいて遊技球の払出動作を行う。この払出制御回路９０はメイン制御回路８０から賞球コマンドが送信されるものであり、賞球コマンドを検出した場合に駆動信号を出力する。モータ回路９１は払出制御回路９０から駆動信号が入力されるものであり、駆動信号が入力された場合に払出しモータ９２を駆動することで上皿９内に単位個数の賞品球を払出す。
【００３５】
図４の演出制御回路（演出装置制御手段）１００は、図柄表示装置１２の表示内容、及び、演出装置の動作を制御するものであり、ＣＰＵ１０１とＲＯＭ１０２とＲＡＭ１０３とを有している。この演出制御回路１００のＲＯＭ１０２には制御プログラム及び制御データが予め記録されており、ＣＰＵ１０１はＲＡＭ１０３をワークエリアとしてＲＯＭ１０２の制御プログラム及びＲＯＭ１０２の制御データに基づいて処理動作を行う。この演出制御回路１００はメイン制御回路８０から制御コマンドの設定結果が送信されるものであり、制御コマンドの送信結果を検出した場合に演出コマンドを設定する。
【００３６】
図４の表示制御回路１１０は図柄表示装置１２の表示内容を制御するものであり、表示制御回路１１０には演出制御回路１００から演出コマンドの設定結果が送信される。この表示制御回路１１０は演出コマンドの設定結果を受信した場合に図柄表示装置１２に演出コマンドの受信結果に応じた映像を表示するものであり、ＶＤＰとＶＲＯＭとＶＲＡＭを有している。ＶＲＯＭは装飾図柄遊技の映像を表示するための画像データと装飾図柄遊技の背景映像を表示するためのビデオデータと大当り遊技演出の映像を表示するためのビデオデータと保留絵柄を表示するための画像データとが予め記録されたものであり、ＶＤＰはＶＲＯＭから検出した画像データ及びビデオデータのそれぞれをＶＲＡＭに展開し、図柄表示装置１２にＲ・Ｇ・Ｂの各信号を出力することで映像をカラーで表示する。
【００３７】
図４の音制御回路１２０は両スピーカ１０のそれぞれの出力内容を制御するものであり、音制御回路１２０には演出制御回路１００から演出コマンドの設定結果が送信される。この音制御回路１２０は演出コマンドの設定結果を受信した場合に演出コマンドの受信結果に応じた音信号を設定するものであり、両スピーカ１０のそれぞれを音信号の設定結果に応じて電気的に操作することで両スピーカ１０のそれぞれから演出コマンドの受信結果に応じた効果音を出力する。
【００３８】
次に、本実施形態に係るその他入賞口ユニット４１について図５から図８を用いて説明する。
その他入賞口ユニット４１は、遊技領域７の左下部分に配置されており、ベースとなる板状のベース部材４２と、ベース部材４２に設けられた三つのその他入賞口４３・４４・４５と、ベース部材４２の前方に設けられたアウト通路６１・６２・６３を形成する立ち壁部材４６と、アウト口５１と、を有する。
ベース部材４２は、図５及び図８に示すように、ベースとなる板状に形成されており、その左下側は遊技領域７に沿うように円弧状に形成されている。ベース部材４２には、図８に示すように、表面から裏面にかけてその他入賞口４３・４４・４５に対応する入賞口孔４３ａ・４４ａ・４５ａと、アウト口５１とが形成されている。入賞口孔４３ａ・４４ａ・４５ａと、アウト口５１とはベース部材の裏面から後方へ立設した壁４２ａによりそれぞれが区画されている。ベース部材４２を遊技板５に固定することにより、その他入賞口ユニット４１を遊技板５に固定する。
【００３９】
図５から図７に示すように、その他入賞口４３・４４・４５は三つ形成されており、ベース部材４２を遊技板５に固定した時に最も上流側に配置される第一のその他入賞口４３と、二番目に上流側に配置される第二のその他入賞口４４と、三番目に上流側に配置される第三のその他入賞口４５とから構成される。ここで、遊技領域７を遊技球が転動する方向に対して上流側及び下流側を定義する。すなわち、本実施形態において、ベース部材４２を遊技板５に固定した時の上流側とは、左上側であり、下流側とは、右下側である。すなわちその他入賞口４３・４４・４５は、一面が開口されたポケット状に形成され、その内部に遊技球が入球（入賞）可能に構成される。第一のその他入賞口４３は、上方が開口されたポケット状に形成されており、左右の側壁４３ｂ・４３ｃと、下壁４３ｄと、前壁４３ｅとを有し前壁４３ｅの後方に入賞口孔４３ａが形成されている。
【００４０】
第一のその他入賞口の側壁４３ｂは、遊技者から見て左側に配置されており、上下方向に延びる直線状に形成されている。第一のその他入賞口の側壁４３ｃは、遊技者から見て右側に配置されており、左に凸の円弧状に形成されている。
【００４１】
第二のその他入賞口４４は、上方が開口されたポケット状に形成されている。第三のその他入賞口４５は、右方が開口されたポケット状に形成されている。第二のその他入賞口４４および第三のその他入賞口４５は、立ち壁部材４６の最も下流側部分と一体となって構成されており、第二のその他入賞口４４の左側に設けられた側壁４４ｂと、第二のその他入賞口４４と第三のその他入賞口４５とを区画する区画壁４５ｂと、第三のその他入賞口４５の右側に設けられた側壁４５ｃと、第二のその他入賞口４４及び第三のその他入賞口４５の前面を被覆する前壁４４ｃと、を有し、前壁４４ｃの後方に入賞口孔４４ａ・４５ａが二つ形成されている。
【００４２】
立ち壁部材４６は、ベース部材４２に固定されており、ベース部材４２から前方に延伸して設けられた部材である。立ち壁部材４６は．最も上流側に配置される第一誘導壁４６ａと、第一誘導壁４６ａの下流側端部の下方に延びた第二誘導壁４６ｂと、第二誘導壁４６ｂの下流側であって、遊技領域７と沿うように円弧状に形成された第三誘導壁４６ｃと、第三誘導壁４６ｃの下流端であってアウト口５１の下側に設けられたアウト口下壁４６ｄと、を有する。アウト口下壁４６ｄの下流端は、第二のその他入賞口４４の側壁４４ｂの下端と連結されている。また第一誘導壁４６ａと第二誘導壁４６ｂとの連結部には、突起壁４６ｅが設けられている。突起壁４６ｅは、第一誘導壁４６ａの下流端から更に右方へ延伸している。
【００４３】
アウト口５１は、第一のその他入賞口４３よりも下流側であって第二のその他入賞口４４よりも上流側に設けられている。また、アウト口５１は、第一のその他入賞口４３よりも右下方に設けられている。アウト口５１は、ベース部材４２に形成されており、アウト口５１に流入した遊技球は、パチンコ遊技機が設置されたパチンコホール等の遊技場側に回収される。アウト口５１は、ベース部材４２に形成された長円形の孔で構成されており、アウト口５１の下側に設けられたアウト口下壁４６ｄと、第二のその他入賞口４４の左側に設けられた側壁４４ｂとによって前方下側及び右側が囲われている。アウト口下壁４６ｄはアウト口５１側（後方）へ向かって傾斜しており、アウト口下壁４６ｄまで転動してきた遊技球はアウト口５１側へと誘導される。また、アウト口５１の長手方向の幅は遊技球の直径の二倍よりも大きくなるように形成されており、アウト口５１の短手方向の幅は遊技球の直径よりも大きくなるように形成されている。こうして、アウト口５１に複数の遊技球が転動してきた場合であっても詰まらないように構成されている。
【００４４】
アウト通路６１・６２・６３は、図６及び図７に示すように、立ち壁部材４６と、第一のその他入賞口４３の側壁４３ｂ・４３ｃと、第二のその他入賞口４４の側壁４４ｂとによって形成される。第一のその他入賞口４３の左側に設けられた第一のアウト通路６１は、第一のその他入賞口４３の左側の側壁４３ｂと、立ち壁部材４６の第二誘導壁４６ｂとによって囲まれた通路である。第一のその他入賞口４３の右側に設けられた第二のアウト通路６２は、第一のその他入賞口４３の右側の側壁４３ｃと、第二のその他入賞口４４の側壁４４ｂとによって囲まれた通路である。
第一のアウト通路６１は、略上下方向に設けられている。第三のアウト通路６３へと連結されている。第三のアウト通路６３は、ベース部材４２の左下部に形成された円弧に沿って設けられる。第三のアウト通路６３は、第一のその他入賞口４３の下壁４３ｄと、立ち壁部材４６の第三誘導壁４６ｃとによって囲まれた通路である。第三のアウト通路６３の下流側はアウト口５１に通じている。第二のアウト通路６２は略上下方向に設けられており、第二のアウト通路６２の下流側はアウト口５１に通じている。
【００４５】
次に、本実施形態に係るその他入賞口ユニット４１のアウト通路６１・６２・６３へ向かう遊技球の流れについて図９を用いて説明する。
その他入賞口４３・４４・４５へ向かう遊技球は、複数の遊技釘と衝突し、第一のアウト通路６１、第一のその他入賞口４３、第二のアウト通路６２、第二のその他入賞口４４、第三のその他入賞口４５のいずれかに案内される。いずれにも案内されなかった遊技球はさらに下流のアウト口１６へと案内される。
ここで、第一のアウト通路６１へ向かう遊技球は、突起壁４６ｅと第一のその他入賞口４３の左側の側壁４３ｂ上端との間を通り抜ける。突起壁４６ｅと第一のその他入賞口４３の左側の側壁４３ｂ上端との間の幅ｄ１は、図９に示すように、遊技球の直径の２〜３倍の幅を有しているため、この部分において、遊技球同士が詰まることはない。また、第一のアウト通路６１は、遊技球の直径の１．５〜２倍の幅を有しているため、第一のアウト通路６１において遊技球同士が詰まることはない。
また、第二のアウト通路６２へ向かう遊技球は、第一のその他入賞口４３の右側の側壁４３ｃ上端と、第二のその他入賞口４４の側壁４４ｂ上端との間を通り抜ける。第一のその他入賞口４３の右側の側壁４３ｃ上端と、第二のその他入賞口４４の側壁４４ｂ上端との間の幅ｄ２は、図９に示すように、遊技球の直径の２〜３倍の幅を有しているため、この部分において、遊技球同士が詰まることはない。また、第二のアウト通路６２は、遊技球の直径の１．５〜２倍の幅を有しているため、第二のアウト通路６２において遊技球同士が詰まることはない。
【００４６】
また、アウト口５１が詰まってしまった場合であっても、アウト口５１が第一のその他入賞口４３または第二のその他入賞口４４よりも下方にあるために、後続の遊技球が詰まった遊技球と衝突して、後続の遊技球の進路が変更され、第一のその他入賞口４３または第二のその他入賞口４４に入り易くなってしまうことを防止することができる。
【００４７】
以上のように、遊技球が入賞可能なその他入賞口４３・４４・４５を複数備えるその他入賞口ユニット４１を遊技領域７に配置したパチンコ遊技機において、その他入賞口ユニット４１には、遊技領域７を転動する遊技球を遊技領域７外に排出するアウト口５１が第一のその他入賞口４３よりも下方の位置に設けられ、第一のその他入賞口４３の左右両側にアウト口５１へ遊技球を案内するアウト通路６１・６２を設けたものである。
このように構成することにより、遊技球がアウト通路６１・６２を通ってアウト口５１へ案内される。アウト口５１は、複数の遊技球が通過可能な孔によって形成されているため、アウト口５１の入口で遊技球が詰まり難くなる。その結果、詰まった遊技球によって第一のその他入賞口４３に遊技球が入り易くなってしまうことを防止することができる。
また、アウト通路６１・６２を設けることで、第一のその他入賞口４３の両側にアウト口を設けた場合と比較して、アウト口のための側壁や下壁を設けるスペースを縮小することができる。こうして、アウト口５１を配置するスペースをできるだけ小さくし、その他入賞口のレイアウトの自由度を高め、アウト口５１におけるつまりを防止することができる。
【００４８】
なお、本実施形態におけるその他入賞口ユニットは、アウト口５１を第一のその他入賞口４３と第二のその他入賞口４４との間に設けているがこれに限定するものではなく、例えば、アウト口を最も下流側に設けることもできる。
【００４９】
また、本実施形態においては、第一のその他入賞口４３の左右両側にアウト口５１へ遊技球を案内するアウト通路６１・６２を設けているがこれに限定するものではなく、例えば、可変入賞口や大入賞口の左右両側にアウト通路を設けることもできる。
【００５０】
また、本実施形態においては、第一のアウト通路６１及び第二のアウト通路６２はアウト口５１に通じている構成としているがこれに限定するものではなく、例えば、第一のアウト通路及び第二のアウト通路のそれぞれについてアウト口を設ける構成とすることもできる。
【００５１】
また、本実施形態においては、第一のアウト通路６１・第二のアウト通路６２・第三のアウト通路６３を設けているがこれに限定するものではなく、例えば、四つ以上のアウト通路を設ける構成とすることもできる。
【符号の説明】
【００５２】
１：遊技機，５Ａ：遊技盤，７：遊技領域，４３・４４・４５：その他入賞口，４３ｂ・４３ｃ：側壁，５１：アウト口，６１・６２・６３：アウト通路
【図１】
2015116300.tif 000003
【図２】
2015116300.tif 000004
【図３】
2015116300.tif 000005
【図４】
2015116300.tif 000006
【図５】
2015116300.tif 000007
【図６】
2015116300.tif 000008
【図７】
2015116300.tif 000009
【図８】
2015116300.tif 000010
【図９】
2015116300.tif 000011